(57)【要約】【課題】床材の固定及び固定解除作業が容易で作業性のよい固定金具を提供する。【解決手段】並設された２つの床材間で前記下地に固定される固定部と、無負荷状態では、固定部側から上方に向かって徐々に間隔が狭まるように前記固定部から延設され、負荷を掛けると他方の脚部に対して離接する方向に弾性変形可能な２つの脚部と、各脚部の先端から延設され、２つの脚部が離れる方向に弾性変形したとき、前記係止凹溝内に入り込み、その一部が前記係止凹溝の前記下地側の内壁面に圧接されて床材を係止する係止部と、前記脚部及び係止部の少なくともいずれかの間で目地に差し込まれた操作治具による回転操作によって姿勢または位置が変更自在に前記固定部に支持され、姿勢または位置の変更によって前記脚部及び係止部のいずれかを付勢して前記係止部を係止状態にするまで少なくとも脚部を弾性変形可能なカム状部材と、を備えていることを特徴としている。【選択図】      図６
2010065404.tif 000002
【特許請求の範囲】
【請求項１】
隣接する床材と側面に設けられた係止凹溝を対向させるとともに所定幅の目地を形成するように下地上に並設された床材を前記下地に固定する固定金具であって、
並設された２つの床材間で前記下地に固定される固定部と、
無負荷状態では、固定部側から上方に向かって徐々に間隔が狭まるように前記固定部から延設され、負荷を掛けると他方の脚部に対して離接する方向に弾性変形可能な２つの脚部と、
各脚部の先端から延設され、２つの脚部が離れる方向に弾性変形したとき、前記係止凹溝内に入り込み、その一部が前記係止凹溝の前記下地側の内壁面に圧接されて床材を係止する係止部と、
前記脚部及び係止部の少なくともいずれかの間で目地に差し込まれた操作治具による回転操作によって姿勢または位置が変更自在に前記固定部に支持され、姿勢または位置の変更によって前記脚部及び係止部のいずれかを付勢して前記係止部を係止状態にするまで少なくとも脚部を弾性変形可能なカム状部材と、
を備えていることを特徴とする固定金具。
【請求項２】
カム状部材は、少なくとも１対の対角に位置するコーナー部が湾曲面になった平面視略長方形の板または棒状をしていて、固定部に立設された支柱にその中心を回転自在に支持されるとともに、操作治具による回転操作によって前記湾曲面を脚部あるいは係止部の壁面に沿わせながら、その長軸が目地に略直交する姿勢まで回転されて、前記係止部が係止状態となるように脚部を弾性変形させるように構成されている請求項１に記載の固定金具。
【請求項３】
カム状部材は、円錐型部を有し、この円錐型部の中心軸に沿ってねじ孔が設けられた略円錐型または円錐台型をしていて、前記円錐型部の頂部を固定部側に向けてねじ孔が固定部に立設されたねじ軸に解締自在に螺合され、操作治具による回転操作によって円錐型部の周壁を２つの両脚部に摺接しながら固定部側に締め込まれて、前記係止部が係止状態となるように脚部を弾性変形させるように構成されている請求項１に記載の固定金具。
【請求項４】
係止部が係止凹溝の前記下地側の内壁面への圧接面に、圧接時前記内壁面に食い込む突部を備えている請求項１〜請求項３のいずれかに記載の固定金具。
【発明の詳細な説明】
【技術分野】
【０００１】
本発明は、根太等の下地上に並設して設けた床材を下地に固定するために用いる固定金具に関する。
【背景技術】
【０００２】
根太等の下地上に並設して設けた床材を下地に固定するために用いる固定金具として、図１３に示すような固定金具１００が提案されている（特許文献１参照）。
この固定金具１００は、図１３に示すように、筒状部１１０とその上面に配置される長方形の係止片１２０とを備え、以下のようにして側面に係合凹溝２１０を備えた床材２００を根太等の下地３００上に所定幅の目地を形成した状態に並べて固定することができるとともに、固定を解除することができる。
【０００３】
すなわち、図１３（a）に示すように、係止片１２０に設けたねじ挿通孔（図示せず）及び筒状部１１０にビス４００を挿通して、ビス４００の先端を下地３００に緩くねじ込み、固定金具１００を緩く下地３００の目地位置に合わせて取り付けるとともに、係止片１２０の長軸を目地５００に平行となるように配置しておく。
つぎに、図１３（ｂ）、（ｃ）に示すように、所定幅の目地５００が形成されるように床材２００を固定金具１００の両側に配置したのち、目地５００の上方から目地５００内にドライバーなどの治具（図示せず）を挿入し、治具によって係止片１２０をその長辺側の両端部がそれぞれ係合凹溝２１０内に入り込むように回転させる。
【０００４】
その後、ドライバーなどの治具を用いてビス４００を締め込み、係止片１２０の両端部下面を係合凹溝２１０の下地側の内壁面に圧接させて下地３００と係止片１２０との間で係合凹溝２１０の壁面を挟み込むことによって床材２００を固定する。
なお、図１３中、１２１は突起であって、ビズ４００の締め込みによって、係合凹溝２１０の壁面に食い込んで、床材２００の横ズレを防止するようになっている。
【０００５】
一方、床材２００の一部が破損して取替えの必要が生じたり、目地５００部分にゴミ等が入り込んで床材２００を取り外す必要が生じたりする場合には、ビス４００を緩めて係止片１２０を回転させて両端部の係止を解除することで床材２００を取り外すことができるようになっている。
【０００６】
しかしながら、上記固定金具１００は、目地５００の幅が狭い場合、ビス４００の締め込みはできても、係止片１２０を回転させることが非常に難しく、作業性が悪い。特に、床材２００を取り外す場合においては、突起１２１が係合凹溝２１０の壁面に食い込んでいるので、より係止片１２０を回転させにくい。
【０００７】
【特許文献１】特開２００３−２２７２２４号公報
【発明の開示】
【発明が解決しようとする課題】
【０００８】
本発明は、上記事情に鑑みて、床材の固定及び固定解除作業が容易で作業性のよい固定金具を提供することを目的としている。
【課題を解決するための手段】
【０００９】
上記目的を達成するために、本発明にかかる固定金具は、隣接する床材と側面に設けられた係止凹溝を対向させるとともに所定幅の目地を形成するように下地上に並設された床材を前記下地に固定する固定金具であって、並設された２つの床材間で前記下地に固定される固定部と、無負荷状態では、固定部側から上方に向かって徐々に間隔が狭まるように前記固定部から延設され、負荷を掛けると他方の脚部に対して離接する方向に弾性変形可能な２つの脚部と、各脚部の先端から延設され、２つの脚部が離れる方向に弾性変形したとき、前記係止凹溝内に入り込み、その一部が前記係止凹溝の前記下地側の内壁面に圧接されて床材を係止する係止部と、前記脚部及び係止部の少なくともいずれかの間で目地に差し込まれた操作治具による回転操作によって姿勢または位置が変更自在に前記固定部に支持され、姿勢または位置の変更によって前記脚部及び係止部のいずれかを付勢して前記係止部を係止状態にするまで少なくとも脚部を弾性変形可能なカム状部材と、を備えていることを特徴としている。
【００１０】
カム状部材は、特に限定されないが、例えば、少なくとも１対の対角に位置するコーナー部が湾曲面になった平面視略長方形の板または棒状をしていて、固定部に立設された支柱にその中心を回転自在に支持されるとともに、操作治具による回転操作によって前記湾曲面を脚部あるいは係止部の壁面に沿わせながら、その長軸が目地に略直交する姿勢まで回転されて、前記係止部が係止状態となるように脚部を弾性変形させる、あるいは、円錐型部を有し、この円錐型部の中心軸に沿ってねじ孔が設けられた略円錐型または円錐台型をしていて、前記円錐型部の頂部を固定部側に向けてねじ孔が固定部に立設されたねじ軸に解締自在に螺合され、操作治具による回転操作によって円錐型部の周壁を２つの両脚部に摺接しながら固定部側に締め込まれて、前記係止部が係止状態となるように脚部を弾性変形させる構成とすることが好ましい。
【００１１】
また、係止部は、係止凹溝の下地側の内壁面への圧接面に、圧接時前記内壁面に食い込む突部を備えていることが好ましい。
上記突部の形状は、突起状でも構わないし、突条でも構わない。なお、突部の大きさは目的を達成することができれば特に限定されないが、高さは        程度、長さ（幅）は    程度が好ましい。
【００１２】
本発明の固定金具の材質は、本発明の目的を達成できれば、特に限定されないが、弾性変形が必要な部分は、金属製バネ弾性を有する材料である、鋼、ステンレス鋼、
等を用いることが好ましい。
また、カム状部材は、特に限定されないが、目地から挿入された操作治具の先端が回り止め状態に嵌合する治具嵌合穴を備えていることが好ましい。治具嵌合穴の形状は、操作治具の先端が回り止め状態に嵌合し、操作治具の回転に伴ってカム状部材全体が回転すれば特に限定されないが、汎用の六角レンチを操作治具として使用できるので六角穴とすることが好ましい。
【００１３】
また、本発明の固定金具によって固定される床材としては、特に限定されないが、例えば、合成樹脂、無機材料、木材、これらの複合材料等からなるものが挙げられるが、ポリプロピレン等の熱可塑性樹脂に木粉を混合した樹脂組成物を押出成形等によって成形した合成木材が好適である。
【発明の効果】
【００１４】
以上のように、本発明にかかる固定金具は、隣接する床材と側面に設けられた係止凹溝を対向させるとともに所定幅の目地を形成するように下地上に並設された床材を前記下地に固定する固定金具であって、並設された２つの床材間で前記下地に固定される固定部と、無負荷状態では、固定部側から上方に向かって徐々に間隔が狭まるように前記固定部から延設され、負荷を掛けると他方の脚部に対して離接する方向に弾性変形可能な２つの脚部と、各脚部の先端から延設され、２つの脚部が離れる方向に弾性変形したとき、前記係止凹溝内に入り込み、その一部が前記係止凹溝の前記下地側の内壁面に圧接されて床材を係止する係止部と、前記脚部及び係止部の少なくともいずれかの間で目地に差し込まれた操作治具による回転操作によって姿勢または位置が変更自在に前記固定部に支持され、姿勢または位置の変更によって前記脚部及び係止部のいずれかを付勢して前記係止部を係止状態にするまで少なくとも脚部を弾性変形可能なカム状部材と、を備えているので、目地の幅が狭くても、カム状部材を目地直下に配置しておくことで、カム状部材を治具で容易に操作できる。そして、カム状部材を治具で回転操作するだけで、係止部を係止状態にできるともに、反対方向に回転させれば、前記脚部及び係止部のいずれかへの付勢が解除され、脚部が弾性復元して係止部が非係止状態に戻る。従って、任意の床材の取り外しが可能で、施工、メンテナンス作業が容易に行える。また、少なくとも脚部が弾性変形可能であるので、床材の寸法公差や、温度による寸法変化に対応することができる。
【００１５】
また、係止部が係止凹溝の前記下地側の内壁面への圧接面に、圧接時前記内壁面に食い込む突部を備えている構成とすれば、床材の上下方向の動きはもとより、床材の水平方向のズレ動きも防止でき、よりしっかりと床材を固定できる。
【発明を実施するための最良の形態】
【００１６】
以下に、本発明を、その実施の形態をあらわす図面を参照しつつ詳しく説明する。
図１〜図６は、本発明にかかる固定金具の第１の実施の形態をあらわしている。
【００１７】
図１〜図６に示すように、この固定金具Ａは、金具本体１と、支柱２ａと、カム状部材３ａとを備えている。
金具本体１は、ばね鋼材からなる板材を折り曲げ加工してなり、固定部１１と、２つの脚部１２と、２つの係止部１３とを備えている。
【００１８】
固定部１１は、平板状をしていて、図１及び図２に示すように、挿通孔１１ａを備えていて、この挿通孔１１ａを介して根太等の下地４にビス（図示せず）をねじ込むことによって、図５及び図６に示すように下地４上に固定できるようになっている。
２つの脚部１２は、無負荷状態では、図４に示すように、固定部１１側から上方に向かって徐々に間隔が狭まるように固定部１１の両端縁から対向して延設され、負荷を掛けると他方の脚部に対して離接する方向に弾性変形可能になっている。
【００１９】
２つの係止部１３は、それぞれ断面略くの字形をしていて、くの字の内角側が対面するような形状で脚部１２の先端からそれぞれ延設されている。
また、係止部１３は、くの字の脚部１２側の辺の外側壁面が後述する床材５への圧接面１３ａとなり、この圧接面１３ａに複数個の突起１３ｂが突設されている。
【００２０】
支柱２ａは、脚部１２の高さ方向の長さより少し短いステンレス鋼で形成された丸棒が溶接等によって金具本体１に固定されることによって、固定部１１の中央に立設した状態になっている。
【００２１】
カム状部材３ａは、長辺の長さが固定部１１の幅と略同じである平面視略長方形をするとともに、図１及び図２に示すように、１対の対角に位置するコーナー部が湾曲面３１に形成され、中心で支柱２ａの先端に回転自在に支持され、床材５の固定状態位置である、図１〜図３及び図６に示すように、脚部１２に短辺が接するような姿勢まで回転したとき、脚部１２を固定部１１に対し略直交するように弾性変形させるようになっている。また、図４及び図５に示すように、固定状態位置からカム状部材３ａが９０度回転した姿勢にすれば、カム状部材３ａによる脚部１２への付勢が全く解除される、脚部１２の無負荷状態とすることができる。
また、カム状部材３ａの上面中央には、図１及び図２に示すように、六角穴３２が穿設されている。
【００２２】
つぎに、図５及び図６に示すように、側面に係合凹溝５１を備えるとともに、上面側５２が係合凹溝５１の開口端より外側に延出した床材５を、上記固定金具Ａを用いて以下のようにして下地４上に並べて固定することができる。
すなわち、まず、カム状部材３ａを、図１〜図３に示す固定状態位置にして、固定部１１を下側にして下地４の床材５の目地が形成される部分に配置し、固定部１１の挿通孔１１ａを介して下地４にビスをねじ込むことによって固定金具Ａを下地４に固定する。
【００２３】
そして、固定が完了すれば、手でカム状部材３ａを略９０度回転させて図４及び図５に示す非固定状態位置にする。
なお、ビスをねじ込む際に邪魔にならなければ、カム状部材３ａは固定状態位置にしなくても構わない。
【００２４】
つぎに、固定部１１の側面に床材５の下面側の側縁が略接するように床材５を固定金具Ａの両側で下地４上に載置する。
そして、床材５の上方から２つの床材５によって形成された目地６内に六角レンチ（図示せず）を挿入し、カム状部材３ａの六角穴３２にその先端を嵌合させ、六角レンチを回転操作して、カム状部材３ａの湾曲面３１をまず脚部１２の内壁面に当接させ、湾曲面によって２つの脚部１２を間隔が離れる方向に付勢しながら、さらに、カム状部材３ａの短辺側の面が脚部１２の内壁面に密着する固定状態位置までカム状部材３ａを回転させたのち、六角レンチを取り除く。
【００２５】
すなわち、カム状部材３ａを上記のように回転させることによって、脚部１２が固定部１１に略直交状態に弾性変形するとともに、係止部１３が係合凹溝５１内に入り込み、圧接面１３ａが係合凹溝５１の固定部１１側の内壁面に圧接され、しかも、突起１３ｂが内壁面に食い込む床材５の固定状態が得られる。
そして、この圧接面１３ａの圧接によって床材５が下地４に押圧されて下地４上に固定される。また、突起１３ｂの内壁面への食い込みによって床材５の水平方向への横ズレがより確実に防止される。
【００２６】
一方、床材５の上方から六角レンチを目地６内に挿入し、その先端をカム状部材３ａの六角穴３２に嵌合させ、カム状部材３ａの長手方向が目地６に平行になるまで、前述の固定時とは逆方向にカム状部材３ａを回転させれば、脚部１２は、カム状部材３ａによる付勢が解除されるので、その弾性復元力によって元の状態に戻り、非固定状態となる。
したがって、床材５を、簡単に取り外すことができる。
【００２７】
図７〜図９は、本発明にかかる固定金具の第２の実施の形態をあらわしている。
図７〜図９に示すように、この固定金具Ｂは、支柱２ｂが脚部１２より係止部１３側に飛び出る長さになっていて、カム状部材３ｂが回転操作に伴って、係止部１３の内角側の面を付勢して脚部１２を弾性変形させるように、上記固定金具Ｂのカム状部材３ａより長手方向に長くなっている以外は、上記固定金具Ａと同様になっている。
【００２８】
この固定金具Ｂは、上記のようになっており、図８に示すように、上記固定金具Ａと同様にして下地４上にビズで固定したのち、床材５を固定金具Ａの両側で下地４上に載置する。つぎに、図９に示すように、上記固定金具Ａと同様に六角レンチを用いてカム状部材３ｂを長辺が目地６に直交するように回転させることによって、脚部１２が固定部１１に略直交状態に弾性変形するとともに、係止部１３が係合凹溝５１内に入り込み、圧接面１３ａが係合凹溝５１の固定部１１側の内壁面に圧接され、しかも、突起１３ｂが内壁面に食い込む。
【００２９】
そして、この圧接面１３ａの圧接によって床材５が下地４に押圧されて下地４上に固定される。また、突起１３ｂの内壁面への食い込みによって床材５の水平方向への横ズレがより確実に防止される。
しかも、この固定金具Ｂの場合、カム状部材３ｂが目地６と直交状態になったとき、カム状部材の下面が係止部１３の圧接面１３ａと反対側の面にほぼ密着状態となるため、このカム状部材３ｂによっても床材５の上下方向の動きが抑えられる。
なお、図７〜図９において、上記固定金具Ａと同じ部材には同じ符号を付している。
【００３０】
図１０〜図１２は、本発明にかかる固定金具の第３の実施の形態をあらわしている。
図１０〜図１２に示すように、この固定金具Ｃは、平面視長方形のカム状部材３ａに代えて、円錐状部３３と、固定部１１の幅と略同じ外径をした円柱部３４とを備えた略円錐台形状（独楽状）をしたカム状部材３ｃを用いるとともに、支柱２ａに代えてねじ軸２ｃを固定部１１から立設させ、カム状部材３ｃの円錐状部３３の中心軸に沿って設けられたねじ穴（図示せず）を円錐状部３３側を下方に向けてねじ軸２ｃに螺合させた以外は、上記固定金具Ａと同様になっている。
【００３１】
この固定金具Ｃは、上記のように構成されているので、図１１に示すように、下地４に固定部１１を固定するとともに、カム状部材３ｃのねじ軸２ｃへの螺合を弛め、カム状部材３ｃを固定部１１から離れた高さ位置の、すなわち、脚部１２を無負荷状態とする。つぎに、床材５を両側に配置し、上方から目地６内に六角レンチを挿入し、六角穴３２にその先端を嵌合させたのち、六角レンチを回転操作してカム状部材３ｃを固定部１１側にねじ込むことによって、脚部１２の壁面が円錐状部３３の周壁面のテーパによって離れるように押圧される。そして、図１２に示すように、円柱部３４の一部が脚部１２と脚部１２との間に入り込む高さ位置まで締め込むことによって、係止部１３が係合凹溝５１内に入り込み、圧接面１３ａが係合凹溝５１の固定部１１側の内壁面に圧接され、しかも、突起１３ｂが内壁面に食い込む。
【００３２】
そして、この圧接面１３ａの圧接によって床材５が下地４に押圧されて下地４上に固定される。また、突起１３ｂの内壁面への食い込みによって床材５の水平方向への横ズレがより確実に防止される。
しかも、この固定金具Ｃの場合、ねじを用いてカム状部材３ｃを上下させるようになっているので、カム状部材３ｃを回転操作する際に大きな力を必要としない。
なお、図１０〜図１２において、上記固定金具Ａと同じ部材には同じ符号を付している。
【００３３】
なお、本発明は、上記の実施の形態に限定されない。たとえば、上記の第１及び第２の実施の形態では、対角に位置する２つのコーナー部のみが湾曲面となっていたが、短辺側に平坦部が残っていれば、２つのコーナー部すべてに湾曲面を設けるようにしても構わない。
【産業上の利用可能性】
【００３４】
本発明の固定金具は、バルコニー床等に用いられる床材を根太等の下地に固定するために用いることができる。
【図面の簡単な説明】
【００３５】
【図１】本発明にかかる固定金具の第１の実施の形態であって、そのカム状部材を固定位置まで回転させた状態の斜視図である。
【図２】図１の固定金具のカム状部材を固定位置まで回転させた状態の平面図である。
【図３】図１の固定金具のカム状部材を固定位置まで回転させた状態の側面図である。
【図４】図１の固定金具のカム状部材を非固定位置まで回転させて、脚部を無負荷状態にした側面図である。
【図５】図１の固定金具を用いて床材を固定する方法を説明する図であって、床材の固定解除状態の断面図である。
【図６】図１の固定金具を用いて床材を固定する方法を説明する図であって、床材の固定状態の断面図である。
【図７】本発明にかかる固定金具の第２の実施の形態であって、その固定金具のカム状部材を固定位置まで回転させた状態の平面図である。
【図８】図７の固定金具を用いて床材を固定する方法を説明する図であって、床材の固定解除状態の断面図である。
【図９】図７の固定金具を用いて床材を固定する方法を説明する図であって、床材の固定状態の断面図である。
【図１０】本発明にかかる固定金具の第３の実施の形態であって、その固定金具のカム状部材を固定位置まで回転させた状態の平面図である。
【図１１】図１０の固定金具を用いて床材を固定する方法を説明する図であって、床材の固定解除状態の断面図である。
【図１２】図１０の固定金具を用いて床材を固定する方法を説明する図であって、床材の固定状態の断面図である。
【図１３】従来の固定金具の説明図である。
【符号の説明】
【００３６】
Ａ，Ｂ，Ｃ  固定金具
１  金具本体
１１  固定部
１２  脚部
１３  係止部
１３ａ  圧接面
１３ｂ  突起（突部）
２ａ，２ｂ  支柱
２ｃ  ねじ軸
３ａ，３ｂ，３ｃ  カム状部材
３１  湾曲面
３２  六角穴
３３  円錐状部
３４  円柱部
４  下地
５  床材
【図１】
2010065404.tif 000003
【図２】
2010065404.tif 000004
【図３】
2010065404.tif 000005
【図４】
2010065404.tif 000006
【図５】
2010065404.tif 000007
【図６】
2010065404.tif 000008
【図７】
2010065404.tif 000009
【図８】
2010065404.tif 000010
【図９】
2010065404.tif 000011
【図１０】
2010065404.tif 000012
【図１１】
2010065404.tif 000013
【図１２】
2010065404.tif 000014
【図１３】
2010065404.tif 000015